(57)【要約】  毛髪繊維の束の湿潤摩擦を測定するためのシステムであって、ｉ）接触面を備える摩擦プローブであって、１０〜５００ｇの範囲のおもりが適合されているプローブ、ｉｉ）毛髪の束を固定する手段、およびｉｉｉ）水の入った槽を備え、摩擦プローブがテクスチャアナライザーに接続され、固定手段および摩擦プローブが水の入った槽の充填ラインの下に配置され、摩擦プローブの接触面が界面活性剤を備えるシステム、ならびにシステムを使用して、毛髪の湿潤摩擦を測定する方法。【選択図】図1
2020515837.tif 000002
【特許請求の範囲】
【請求項１】
毛髪繊維の束の湿潤摩擦を測定するためのシステムであって、
ｉ）接触面（２）を備える摩擦プローブ（１）であって、１０〜５００ｇの範囲のおもり（３）が適合されているプローブ、
ｉｉ）前記毛髪の束（５）を固定する手段（６）、および
ｉｉｉ）ウォーターバス（７）
を備え、
前記摩擦プローブが、テクスチャアナライザー（４）に接続され、
前記固定手段（６）および摩擦プローブ（１）は、前記ウォーターバスの充填ライン（８）の下に配置され、
前記摩擦プローブ（１）の前記接触面（２）が界面活性剤を備える、前記システム。
【請求項２】
前記摩擦プローブ（１）上の界面活性剤のレベルが１０μｇ／ｃｍ２から１５００μｇ／ｃｍ２である、請求項１に記載のシステム。
【請求項３】
前記おもり（３）が１０ｇから５００ｇの範囲にある、請求項１または請求項２に記載のシステム。
【請求項４】
前記摩擦プローブ（１）がゴム材料を備える、請求項１から３のいずれか一項に記載のシステム。
【請求項５】
前記摩擦プローブ（１）が、水性界面活性剤組成物全体の５〜２５重量％の濃度の界面活性剤を含む水性界面活性剤組成物で最初に洗浄され、界面活性剤の濃度が１０ｐｐｍから１５００ｐｐｍである希釈界面活性剤水溶液に浸される前に、水ですすぎ、乾燥させる、請求項１〜４のいずれか一項に記載のシステム。
【請求項６】
ｉ）毛髪繊維の束（５）を準備するステップ、
ｉｉ）前記毛髪繊維（５）を位置合わせするステップ、
ｉｉｉ）前記毛髪繊維の束（５）を固定するステップ、
ｉｖ）ウォーターバス（７）の水に前記毛髪繊維の束（５）を浸すステップ、
ｖ）前記毛髪繊維（５）を摩擦プローブ（１）の前記接触面（２）に接触させるステップであって、摩擦プローブにはおもり（３）が適合されている、接触させるステップ、
ｖｉ）前記プローブ（１）を前記毛髪繊維（５）に沿って移動するステップ、および
ｖｉｉ）ステップｖｉ）で生成された摩擦を記録するステップ
を含み、
ステップｖ）〜ｖｉｉ）は水（８）の下で行われ、
前記摩擦プローブ（１）の前記接触面（２）が界面活性剤を含む、請求項１〜５のいずれかに定義されたシステムを使用して毛髪の湿潤摩擦を測定する方法。
【請求項７】
ステップｖｉ）からｖｉｉ）が１５から１００回繰り返される、請求項６に記載の方法。
【請求項８】
前記毛髪繊維の束（５）を第１の毛髪処理組成物で処理するステップを含む、請求項６または７に記載の方法。
【請求項９】
前記毛髪繊維の束（５）を第２の毛髪処理組成物で処理するステップと、前記第１の毛髪処理組成物で処理された毛髪の摩擦を前記第２の毛髪処理組成物で処理された毛髪の前記摩擦と比較するステップとを含む、請求項８に記載の方法。
【発明の詳細な説明】
【技術分野】
【０００１】
本発明は、濡れた毛髪の摩擦を測定するためのシステムおよび方法に関し、特に、毛髪処理組成物で処理された毛髪、および様々なトリートメントで処理された毛髪の摩擦の比較に関する。
【背景技術】
【０００２】
髪の摩擦の評価は、髪の状態に関する情報を提供する。髪の状態は、キューティクルの浮き上がり、キューティクルの破損、表面の侵食、髪の表面への物質の堆積の度合いなどの事柄に影響を受ける可能性がある。また、摩擦低減処理と材料の有効性に関する情報も提供できる。これにより、ひいては特定の毛髪の状態に合った製品を有益に選択することが可能になる。
【０００３】
このような評価に利用できるシステムと方法がいくつかある。
【０００４】
Ｃｈｅｍｉｃａｌ  ａｎｄ  Ｐｈｙｓｉｃａｌ  Ｂｅｈａｖｉｏｒ  ｏｆ  Ｈｕｍａｎ  Ｈａｉｒ，  Ｃｌａｒｅｎｃｅ  Ｒ．Ｒｏｂｂｉｎｓ，  ４ｔｈ  Ｅｄ．，  Ｓｐｒｉｎｇｅｒ；  ｐｐ  ４３９−４４０は、Ｉｎｓｔｒｏｎ張力テスターのロードセルに毛髪繊維の根端を取り付けることを含むＳｃｏｔｔとＲｏｂｂｉｎｓに起因する方法を含む、「Ｍｅｔｈｏｄｓ  ｆｏｒ  Ｍｅａｓｕｒｉｎｇ  Ｆｒｉｃｔｉｏｎ  ｏｎ  Ｈａｉｒ  Ｆｉｂｅｒｓ（毛髪繊維の摩擦を測定する方法）」という見出しの既知の技術の要約を提示している。それは、先端の重みを加え、２つのマンドレルを部分的に包む。マンドレルはクロスヘッドに取り付けられており、繊維に向かって下向きに移動するときに摩擦張力が記録される。摩擦は摩擦速度によって変化すると言われており、摩擦速度が遅い場合の処理には大きな差が見られる。乾いた髪と水に浸した髪のコーミングのシミュレーションが、この方法を使用して開示されている。
【０００５】
米国特許出願公開第２００９０３２４５２９号では、髪の摩擦力はテクスチャアナライザー（ＴＡ）を使用して測定され、１０ｇの髪のサンプルに組成物が適用される。毛髪サンプルに組成物を広げた後、水ですすぐ前後に、ＴＡを使用して毛髪サンプルとポリウレタンパッドとの間の摩擦力を測定する。
【０００６】
欧州特許第１６５２５５５号で、本発明者らは、ＴＡと、ゴム材料でコーティングされたステンレス鋼シリンダーの形の摩擦プローブを使用した摩擦の測定を開示している。小枝状の毛髪をＴＡに据え付け、平らな構成に固定する前に、髪の毛の繊維をコーミングによって位置合わせする。摩擦プローブを髪の上に置き、約５６０ｇの摩擦接点の負荷をかける。プローブを、１０ｍｍ−１の速度で髪に沿って動かして、プローブと髪との間の摩擦を測定する。この方法は、様々なヘアコンディショナーで処理された髪の摩擦特性を評価するために使用される。
【０００７】
しかし、これらの既知の方法には、いくつかの処理を十分に区別する感度がない。特にすすぎ段階では、既知の方法では消費者による製品の差別化を予測できないことが見出された。
【０００８】
表面に界面活性剤を含む摩擦プローブを使用する水中の毛髪の束の摩擦の測定により、消費者の識別と相関している驚くほど高感度の測定が可能になることが見出された。
【先行技術文献】
【特許文献】
【０００９】
【特許文献１】米国特許出願公開第２００９０３２４５２９号
【特許文献２】欧州特許第１６５２５５５号
【非特許文献】
【００１０】
【非特許文献１】Ｃｈｅｍｉｃａｌ  ａｎｄ  Ｐｈｙｓｉｃａｌ  Ｂｅｈａｖｉｏｒ  ｏｆ  Ｈｕｍａｎ  Ｈａｉｒ，  Ｃｌａｒｅｎｃｅ  Ｒ．Ｒｏｂｂｉｎｓ，  ４ｔｈ  Ｅｄ．，  Ｓｐｒｉｎｇｅｒ；  ｐｐ  ４３９−４４０
【発明の概要】
【００１１】
本発明の第１の態様では、毛髪繊維の束の湿潤摩擦を測定するためのシステムであって、
ｉ）接触面を備える摩擦プローブであって、１０〜５００ｇの範囲のおもりが適合されているプローブ、ｉｉ）毛髪の束を固定する手段、およびｉｉｉ）水の入った槽を備え、摩擦プローブがテクスチャアナライザーに接続され、固定手段および摩擦プローブが水の入った槽の充填ラインの下に配置され、摩擦プローブの接触面が界面活性剤を備えるシステムが提供される。
【００１２】
第２の態様では、
ｉ）毛髪繊維の束を準備するステップ、
ｉｉ）毛髪繊維を位置合わせするステップ、
ｉｉｉ）毛髪繊維の束を固定するステップ、
ｉｖ）水の入った槽の水に毛髪繊維の束を浸すステップ、
ｖ）毛髪繊維を摩擦プローブの接触面に接触させるステップであって、摩擦プローブにはおもりが適合されている、接触させるステップ、
ｖｉ）プローブを毛髪繊維に沿って移動するステップ、および
ｖｉｉ）ステップｖｉ）で生成された摩擦を記録するステップ
を含み、
ステップｖ）〜ｖｉｉ）は水の下で行われ、
摩擦プローブの接触面が界面活性剤を含む、本発明の第１の態様のシステムを使用して毛髪の湿潤摩擦を測定する方法が、提供される。
【００１３】
一定の摩擦が得られるまで、プローブを髪から持ち上げずにステップｖｉ）〜ｖｉｉ）を繰り返すことが好ましい。
【００１４】
このようにして、摩擦の非常に小さな差が検出され、消費者データと一致することが見出された。
【図面の簡単な説明】
【００１５】
本発明の実施形態を、以下の非限定的な図面を参照してこれから説明する。
【図１】本発明のシステムの斜視図である。
【図２】表面に界面活性剤を含まない摩擦プローブを使用して処理した髪の浸漬フィクションプロファイルを示している。
【図３】表面に界面活性剤を含む摩擦プローブを使用して処理した髪の浸漬フィクションプロファイルを示している。
【発明を実施するための形態】
【００１６】
図１のシステムは、テクスチャアナライザー（４）に接続されたおもり（３）が適合された、界面活性剤を含む接触面（２）を有する摩擦プローブ（１）を備え、その全長に沿った２つの位置でクランプ（６）でクランプされた毛髪繊維の束（５）を示し、クランプと摩擦プローブは充填ライン（８）の下の水の入った槽（７）に配置されている。
【００１７】
図１および図２は、実施例を言及している。
【００１８】
毛髪繊維の束
毛髪繊維の束は、好ましくは、一端で結合または接着されている。好ましくは、毛髪繊維の束は、好ましくは５０〜５０００本の毛髪繊維、最も好ましくは５００〜２０００本の毛髪繊維を含む小枝状髪である。
【００１９】
好ましくは、小枝状の毛髪は、重量で１から２０ｇ、より好ましくは２から１０ｇである。好ましくは、小枝状髪は長さが１０〜５０ｃｍ、より好ましくは長さが１５〜３０ｃｍである。
【００２０】
摩擦プローブ
摩擦プローブには、使用中に髪に接触する接触面がある。接触面は、摩擦プローブの外面であることが好ましい。摩擦プローブの接触面は界面活性剤を含む。好ましくは、摩擦プローブの界面活性剤のレベルは、１０μｇ／ｃｍ２から１５００μｇ／ｃｍ２、より好ましくは５０μｇ／ｃｍ２から１０００μｇ／ｃｍ２、さらにより好ましくは８０μｇ／ｃｍ２から５００μｇ／ｃｍ２、最も好ましくは１００μｇ／ｃｍ２から２００μｇ／ｃｍ２である。
【００２１】
摩擦プローブ自体の重量は約２０〜１００ｇ、好ましくは４０〜８０ｇ、より好ましくは６０ｇである。摩擦プローブには、１０〜５００ｇ、好ましくは５０〜３００ｇ、最も好ましくは１００〜２００ｇの範囲のおもりが適合されている。おもりにより、プローブと毛髪が良好に接触する。
【００２２】
好ましくは、摩擦プローブはゴム材料、好ましくは合成ゴム、最も好ましくはネオプレンを含む。
【００２３】
好ましくは、摩擦プローブは、前述のゴム材料でコーティングされたステンレス鋼シリンダーである。
【００２４】
界面活性剤は、水性界面活性剤で処理して乾燥することにより、プローブに添加することができる。
【００２５】
好ましい方法は、使用前に、プローブを最初に、全水性界面活性剤組成物の５〜２５重量％の界面活性剤濃度を有する水性界面活性剤組成物で洗浄し、水ですすぐことである。次に、プローブを、濃度が１０ｐｐｍから１５００ｐｐｍの界面活性剤の希釈界面活性剤水溶液に浸し、乾燥させる。
【００２６】
水性界面活性剤組成物は、全水性界面活性剤組成物の重量に対して、５〜２５重量％、好ましくは８〜２０重量％、例えば１４重量％の濃度を有する。
【００２７】
水性界面活性剤組成物で処理した後、濃度１０ｐｐｍ〜１５００ｐｐｍ、好ましくは５０〜５００ｐｍ、最も好ましくは８０〜２００ｐｐｍ、例えば１４０ｐｐｍの希釈界面活性剤水溶液に浸す前に、好ましくは３０秒〜５分、より好ましくは１分〜３分、プローブを水で洗浄する（好ましくは滑りやすい感触がなくなるまで）。
【００２８】
次に、プローブを、好ましくは１０分から３時間、最も好ましくは１．５から２．５時間乾燥させる。
【００２９】
好ましくは、水性界面活性剤組成物および希釈界面活性剤溶液の両方の界面活性剤は、アニオン性界面活性剤、好ましくはラウリルエーテル硫酸ナトリウム（ＳＬＥＳ）である。
【００３０】
好ましいプローブは、最初に、５〜２５重量％の濃度を有する水性アニオン性界面活性剤組成物で洗浄され、水ですすがれ、その後、１０ｐｐｍ〜１５００ｐｐｍの濃度の希釈界面活性剤水溶液に１〜３分間浸漬され、１．５〜２．５時間乾燥される。
【００３１】
固定手段
毛髪繊維の束は、固定手段で固定する。好ましくは、固定手段はクランプである。好ましくは、髪はその全長に沿った２つの位置で固定される。
【００３２】
ウォーターバス
固定手段と摩擦プローブは、充填ラインの下にあるウォーターバスに配置される。
【００３３】
水は温かいことが好ましく、２５〜４０℃が好ましい。
【００３４】
テクスチャアナライザー（ＴＡ）
任意の適切なテクスチャアナライザー、例えば英国サリー州のＳｔａｂｌｅ  Ｍｉｃｒｏ  Ｓｙｓｔｅｍｓが提供するＴＡ．  ＸＴ２ｉ  Ｔｅｘｔｕｒｅ  Ａｎａｌｙｓｅｒを使用できる。ＴＡは、プローブから毛髪の摩擦を取得する。
【００３５】
プローブはＴｅｘｔｕｒｅ  Ａｎａｌｙｓｅｒに接続する。
【００３６】
いかなる理論にも拘束されることを望まないが、本発明は「境界潤滑」と「流体力学的潤滑」との間の領域で動作すると考えられている。領域自体は通常「弾性流体潤滑と混合潤滑」と呼ばれる。流体力学的潤滑領域では、流体が摩擦面（プローブと髪）を完全に隔離し、内部の流体摩擦のみがトライボロジー特性を決定する。「境界潤滑」領域では、潤滑剤の流体力学的効果（例えば、繊維に残った髪の組成）は、トライボロジー特性に大きく影響しない。対照的に、「混合潤滑」領域では、流体（流体の粘度など）、圧力、固体表面がすべて影響要因である。本発明者らは、本発明によるシステムを使用して、異なる毛髪処理組成物に起因する髪の摩擦のわずかな違いさえも区別することができることを観察した。さらに、違いは消費者の知覚と良好に相関しているように思われる。
【００３７】
方法
一定の摩擦が得られるまで、プローブを髪から持ち上げずに方法のステップｖｉ）〜ｖｉｉ）を繰り返すことが好ましい。好ましくは、ステップｖｉ）〜ｖｉｉ）は１５〜１００回、より好ましくは２０〜６０回、最も好ましくは３０〜５０回繰り返される。
【００３８】
好ましくは、方法のステップｉｖ）〜ｖｉ）は、固定手段を開かずに実行される。
【００３９】
ステップｉｖ）の「プローブを毛髪繊維に沿って移動する」というフレーズは、プローブが毛髪繊維上を一端から他端まで滑動しており、プローブが滑動している間、毛髪繊維が静止し続けていることを意味するものと理解されるべきである。
【００４０】
毛髪繊維は、プローブと接触する前に位置合わせする。これは、髪をコーミングするかブラッシングすることにより達成されることが好ましい。
【００４１】
毛髪処理組成物の摩擦低減効果を評価する方法は、本発明の第１の態様の方法を実施する前に、毛髪繊維の束を第１の毛髪処理組成物で処理するステップを含む。本明細書において、「処理する」とは、毛髪組成物を毛髪繊維の束に塗布することを意味すると理解されるべきである。好ましい実施形態において、毛髪繊維は、毛髪組成物の塗布前に洗浄および／またはすすぐ。好ましくは、毛髪繊維は、毛髪組成物の塗布後であるが、それを手段に固定する前にすすぐ。
【００４２】
この方法は、毛髪繊維の束を第２の毛髪処理組成物で処理するステップと、本発明の第１の態様の方法を実行し、第１の毛髪処理組成物で処理された毛髪の摩擦を第２の毛髪処理組成物で処理された毛髪の摩擦と比較するステップとをさらに含み得る。
【００４３】
毛髪処理組成物
本発明の方法で使用するのに好ましい毛髪処理組成物は、リンスオフ組成物である。
【００４４】
好ましい毛髪処理組成物は、シャンプー、リンスオフヘアコンディショナーおよびヘアマスクから選択される。
【００４５】
本発明で使用するリンスオフコンディショナーは、典型的には、１〜２分間濡れた髪に残されてから洗い流されるコンディショナーである。
【００４６】
本発明で使用するヘアマスクは、典型的には、３〜１０分間、好ましくは３〜５分間、より好ましくは４〜５分間毛髪に残してからすすぎ落とすトリートメントである。
【００４７】
本発明の方法で使用される処理組成物は、好ましくはコンディショニング剤を含む。コンディショニング剤は、好ましくは、単独でまたは混合物で使用されるカチオン性界面活性剤から選択される。
【００４８】
本発明の方法で使用するための組成物に有用なカチオン性界面活性剤は、水性組成物に溶解すると正に帯電するアミノまたは第四アンモニウム親水性部分を含む。
【００４９】
適切なカチオン性界面活性剤の例は、次式に対応するものである。
【００５０】
［Ｎ（Ｒ１）（Ｒ２）（Ｒ３）（Ｒ４）］＋（Ｘ）−
式中、Ｒ１、Ｒ２、Ｒ３およびＲ４は、（ａ）炭素原子１〜２２個の脂肪族基、または（ｂ）最大２２個の炭素原子を有する芳香族、アルコキシ、ポリオキシアルキレン、アルキルアミド、ヒドロキシアルキル、アリールまたはアルキルアリール基から独立して選択され；Ｘは、ハロゲン（例えば、塩化物、臭化物）、酢酸塩、クエン酸塩、乳酸塩、グリコール酸塩、リン酸塩硝酸塩、硫酸塩、およびアルキル硫酸塩ラジカルから選択されるような塩形成アニオンである。
【００５１】
脂肪族基は、炭素原子および水素原子に加えて、エーテル結合、およびアミノ基などの他の基を含み得る。長鎖脂肪族基、例えば、炭素数約１２以上のものは、飽和または不飽和であり得る。
【００５２】
本発明の方法で使用するための組成物に最も好ましいカチオン性界面活性剤は、長鎖アルキル鎖がＣ１６からＣ２２であるモノアルキル四級アンモニウム化合物である。
【００５３】
そのような材料の適切な例は、次の式に対応する。
【００５４】
［Ｎ（Ｒ５）（Ｒ６）（Ｒ７）（Ｒ８）］＋（Ｘ）−
式中、Ｒ５は、１６〜２２個の炭素原子を有する炭化水素鎖または１６〜２２個の炭素原子を有し、ラジカル鎖の置換基または連鎖として存在するエーテル、エステル、アミドまたはアミノ部分を含む官能化ヒドロカルビル鎖であり、Ｒ６、Ｒ７およびＲ８は、（ａ）１から約４個の炭素原子のヒドロカルビルカイン、または（ｂ）１から約４個の炭素原子を有し、ラジカル鎖にて置換基または連鎖として存在する１つ以上の芳香族、エーテル、エステル、アミドまたはアミノ部分を含む官能化ヒドロカルビル鎖から独立して選択され、Ｘは、ハロゲン（例えば、塩化物、臭化物）、酢酸塩、クエン酸塩、乳酸塩、グリコール酸塩、リン酸塩硝酸塩、硫酸塩およびアルキル硫酸塩ラジカルから選択される塩形成アニオンである。
【００５５】
官能化ヒドロカルビルカイン（ｂ）は、アルコキシ（好ましくはＣ１〜Ｃ３アルコキシ）、ポリオキシアルキレン、アルキルエステル、およびそれらの組み合わせから選択される１つ以上の親水性部分を適切に含むことができる。
【００５６】
好ましくは、炭化水素鎖Ｒ１は１６から２２個の炭素原子を有する。それらは、所望のヒドロカルビル鎖長を有する相当量の脂肪酸を含む原料油から誘導され得る。
【００５７】
本発明の方法で使用するための組成物で使用するための上記一般式の典型的なモノアルキル四級アンモニウム化合物には以下が含まれる。
【００５８】
（ｉ）塩化セチルトリメチルアンモニウム（例えば、ＢＡＳＦからＤｅｈｙｑｕａｒｔとして市販されている）；塩化ベヘニルトリメチルアンモニウム（例えば、ＣｒｏｄａからのＩｎｃｒｏｑｕａｔＴＭ  Ｂｅｈｅｎｙｌとして入手可能）
（ｉｉ）次式の化合物：
［Ｎ（Ｒ１）（Ｒ２）（（ＣＨ２ＣＨ２Ｏ）ｘＨ）（（ＣＨ２ＣＨ２Ｏ）ｙＨ］＋（Ｘ）−
式中
ｘ＋ｙは２〜２０の整数である。
【００５９】
Ｒ１は、１６〜２２個の炭素原子を有し、ラジカル鎖の置換基または連鎖として存在するエーテル、エステル、アミドまたはアミノ部分を含むヒドロカルビル鎖である。
【００６０】
Ｒ２はＣ１−Ｃ３アルキル基またはベンジル基、好ましくはメチルであり、
Ｘは、ハロゲン（塩化物、臭化物など）、酢酸塩、クエン酸塩、乳酸塩、グリコール酸塩、リン酸塩硝酸塩、硫酸塩、メトサルフェート、およびアルキル硫酸塩ラジカルから選択される塩形成アニオンである。
【００６１】
（ｉｉｉ）次式の化合物：
［Ｎ（Ｒ１）（Ｒ２）（Ｒ３）（（ＣＨ２）ｎ  ＯＨ）］＋（Ｘ）−
式中
ｎは１〜４の整数であり、２が好ましい。
【００６２】
Ｒ１は、１６〜２２個の炭素原子を有するヒドロカルビル鎖である。
【００６３】
Ｒ２およびＲ３は独立してＣ１〜Ｃ３アルキル基から選択され、好ましくはメチルであり、
Ｘ−は、ハロゲン（塩化物、臭化物など）、酢酸塩、クエン酸塩、乳酸塩、グリコール酸塩、リン酸塩硝酸塩、硫酸塩、アルキル硫酸塩ラジカルから選択されるような塩形成アニオンである。
【００６４】
前述のカチオン性界面活性剤化合物のいずれかの混合物も適切であり得る。
【００６５】
本発明の方法で使用する毛髪用組成物で使用するのに適したカチオン性界面活性剤の例には、塩化セチルトリメチルアンモニウム、塩化ベヘニルトリメチルアンモニウム、塩化セチルピリジニウム、塩化テトラメチルアンモニウム、塩化テトラエチルアンモニウム、塩化オクチルトリメチルアンモニウム、塩化ドデシルトリメチルアンモニウム、塩化ヘキサデシルトリメチルアンモニウム、塩化オクチルジメチルベンジルアンモニウム、塩化デシルジメチルベンジルアンモニウム、塩化ステアリルジメチルベンジルアンモニウム、塩化ジドデシルジメチルアンモニウム、塩化ジオクタデシルジメチルアンモニウム、塩化タロウトリメチルアンモニウム、塩化ココトリメチルアンモニウム、およびそれらの対応する水酸化物を含む。さらなる適切なカチオン性界面活性剤には、ＣＴＦＡ指定のＱｕａｔｅｒｎｉｕｍ−５、Ｑｕａｔｅｒｎｉｕｍ−３１、Ｑｕａｔｅｒｎｉｕｍ−９８およびＱｕａｔｅｒｎｉｕｍ−１８を有する材料が含まれる。前述の材料のいずれかの混合物も適切であり得る。特に有用なカチオン性界面活性剤は、例えばＨｅｎｋｅｌからのＤＥＨＹＱＵＡＲＴとして市販されている塩化セチルトリメチルアンモニウムである。
【００６６】
カチオン性界面活性剤のレベルは、好ましくは組成物全体の０．０１から１０重量％、より好ましくは０．０５から５重量％、最も好ましくは０．１から２重量％である。
【００６７】
好ましいコンディショナーは、コンディショニングゲル相を含む。そのようなコンディショナーおよびそれらを作製する方法は、国際公開第２０１４／０１６３５４号、国際公開第２０１４／０１６３５３号、国際公開第２０１２／０１６３５２号および国際公開第２０１４／０１６３５１号に記載されている。このタイプの好ましいヘアコンディショニング組成物は、０．４〜８重量％の８〜２２個の炭素を有する脂肪アルコール、０．１〜２重量％のカチオン性界面活性剤成分、水を含み、組成物は、コンディショニング組成物で処理された髪に１〜２５０ｇのドロー質量を付与する。ドロー質量は、櫛またはブラシで小枝状の毛髪を引くために必要な質量である。
【００６８】
コンディショニング組成物は、他の任意の成分を含んでもよい。そのような成分には脂肪物質、堆積ポリマー、さらにコンディショニング剤が含まれるが、これらに限定されない。
【００６９】
コンディショナー組成物は、脂肪物質をさらに含むことが好ましい。コンディショニング組成物における脂肪物質とカチオン性界面活性剤の併用は、これがカチオン性界面活性剤が分散される構造化ラメラまたは液晶相の形成につながるため、特に有利であると考えられている。
【００７０】
「脂肪物質」とは、脂肪アルコール、アルコキシル化脂肪アルコール、脂肪酸またはそれらの混合物を意味する。
【００７１】
好ましくは、脂肪物質のアルキル鎖は完全に飽和している。
【００７２】
代表的な脂肪物質は、８〜２２個、より好ましくは１６〜２２個の炭素原子を含む。適切な脂肪アルコールの例には、セチルアルコール、ステアリルアルコールおよびそれらの混合物が含まれる。これらの材料の使用は、組成物の全体的なコンディショニング特性に寄与するという点でも有利である。
【００７３】
アルキル鎖中に約１２〜約１８個の炭素原子を有するアルコキシル化（例えば、エトキシル化またはプロポキシル化）脂肪アルコールを、脂肪アルコール自体の代わりに、または脂肪アルコール自体に加えて使用することができる。適切な例には、エチレングリコールセチルエーテル、ポリオキシエチレン（２）ステアリルエーテル、ポリオキシエチレン（４）セチルエーテル、およびそれらの混合物が含まれる。
【００７４】
コンディショナー中の脂肪物質のレベルは、適切には、組成物全体の０．０１から１５重量パーセント、好ましくは０．１から１０重量パーセント、より好ましくは０．１から５重量パーセントである。カチオン性界面活性剤と脂肪アルコールの重量比は、適切には１０：１〜１：１０、好ましくは４：１〜１：８、最適には１：１〜１：７、例えば１：３である。
【００７５】
さらなるコンディショニング成分には、パルミチン酸セチルなどの脂肪アルコールと脂肪酸のエステルが含まれる。
【００７６】
本発明で使用するためのコンディショニング組成物は、ミセル構造化された液体を含むことができる。
【００７７】
本組成物を含むコンディショナーのｐＨは、好ましくは３〜５である。より好ましくは、組成物のｐＨは４．５〜５．５である。
【００７８】
組成物が３．１０未満のｐＨを有する場合、集中的な処理のためのコンディショニングマスクの形態であることが好ましい。
【００７９】
さらなるコンディショニング成分には、好ましくはココナッツオイルおよびオリーブオイルから選択されるコンディショニングオイルが含まれる。
【００８０】
これから本発明を以下の非限定的な実施例を用いて説明する。
【００８１】
実施例１：摩擦分析前の毛髪の処理用組成物
本発明の装置および方法を使用した摩擦分析の前に、異なる方法で作られた２つのヘアコンディショナー組成物を使用して毛髪を処理した。組成を表１に示す。
【００８２】
表１：コンディショナーＡおよびＢの組成
【表１】
2020515837.tif 000003
【００８３】
製剤Ａは、カチオン性界面活性剤を脂肪アルコールに添加し、８５℃で撹拌することにより作成した。混合物の温度が６０℃になるように、典型的には５５℃で、徐々にこの混合物を水に加えた。この温度を撹拌しながら３０分間維持した。次いで、混合物を、より多くの水および他の周囲温度成分を添加することにより、および必要に応じて外的な冷却を利用することにより周囲に向けて冷却し、撹拌した。
【００８４】
製剤Ｂは、７５℃の水中で脂肪アルコールとカチオン性界面活性剤を加熱し、撹拌しながら３０分間維持することにより作成された。次いで、混合物を、より多くの水および他の周囲温度成分を添加することにより、および必要に応じて外的な冷却を利用することにより周囲に向けて冷却し、撹拌した。
【００８５】
実施例２：組成物ＡおよびＢで処理した毛髪のウェットな滑らかな感触の官能評価
ダメージのある毛髪の３６人のパネリストが、通常の洗浄ルーチンの間に髪にコンディショナーＡとＢを使用した。ウェットの滑らかさの評価は、ラインスケールを使用して行われた。
【００８６】
結果を以下の表２に示す。
【００８７】
表２：コンディショナーＡおよびＢで処理された髪の滑らかでウェットな感触
【表２】
2020515837.tif 000004
【００８８】
このデータは、異なる方法を使用して作られた組成物Ｂよりも組成物Ａが濡れた髪で著しく滑らかな髪にすることをパネリストが知覚していることを示している。
【００８９】
実施例３：本発明によるＴＡ摩擦測定の前の、組成物ＡおよびＢによる毛髪の処理
使用された髪は、重量が５ｇで長さが６インチの暗褐色のヨーロッパ人の髪であった。
【００９０】
次のように、毛髪を組成物ＡおよびＢで処理した。
【００９１】
髪は、次の方法を使用してクレンジングシャンプーで最初に処理された。
【００９２】
毛髪繊維を流水下に３０秒間保持し、シャンプーを毛髪１ｇ当たり０．１ｍｌのシャンプーの用量で適用し、毛髪に３０秒間こすりつけた。過剰な泡を３０秒間流水下に保持することにより除去し、シャンプー段階を繰り返した。髪を流水で１分間すすいだ。
【００９３】
次に、次の方法を使用して、濡れた髪をコンディショナーＡまたはＢで処理した。
【００９４】
毛髪１ｇ当たり０．２ｍｌのコンディショナーの用量で、濡れた毛髪にコンディショナーを塗布し、１分間毛髪にマッサージした。髪を流水で１分間すすぎ、余分な水を除去した。
【００９５】
実施例４：組成物ＡおよびＢで処理した毛髪の摩擦測定
以下のように、本発明の装置および方法を使用して摩擦を測定した。
【００９６】
英国サリー州のＳｔａｂｌｅ  Ｍｉｃｒｏ  Ｓｙｓｔｅｍｓが提供するＴＡ．ＸＴ２ｉ  Ｔｅｘｔｕｒｅ  Ａｎａｌｙｓｅｒを使用して摩擦を測定した。摩擦プローブは、ゴム材料でコーティングされたステンレススチールシリンダーであった。あるテストでは、摩擦プローブの外側（接触）面に界面活性剤があり、別のテストではなかった。摩擦接触の負荷は約１３８ｇであった。使用中、約１．０ｃｍ２という、摩擦プローブの外側表面と毛髪との接触領域が達成された。
【００９７】
界面活性剤は、次のようにプローブに追加された。
【００９８】
プローブを最初に、全水性界面活性剤組成物の１４重量％の濃度のラウリルエーテル硫酸ナトリウム（ＳＬＥＳ）の水性組成物で洗浄し、水ですすいだ。次いで、プローブを、１４ｐｐｍの濃度を有するＳＬＥＳの希釈溶液に２分間浸し、その後２時間乾燥させた。
【００９９】
コンディショナーＡおよびＢで処理した髪の摩擦特性を評価するために使用した方法論は次のとおりである。
【０１００】
小枝状の毛髪をテクスチャアナライザーにしっかりと取り付け、平らな構成に固定する前に、髪の毛の繊維をコーミングによって位置合わせさせた。髪を水の入った槽に浸した。摩擦プローブを髪の上に置き、１０ｍｍ−１の速度で髪に沿って動かして、プローブと髪との間の摩擦を測定した。測定は３０回繰り返された。
【０１０１】
以下に報告する摩擦の値は、キューティクルに沿う場合と逆らう場合について、プローブが移動した全距離にわたる測定された総摩擦力を統合することによって得られた、ｇ．ｍｍ単位の摩擦ヒステリシスである。
【０１０２】
界面活性剤で処理したプローブまたは界面活性剤で処理していないプローブを使用してコンディショナーＡおよびＢで処理した小枝状の毛髪で測定した浸漬時の摩擦は、表３で得られる。また、図２および図３にグラフで示す。
【０１０３】
表３：摩擦プローブが表面に界面活性剤を含む場合と、プローブが表面に界面活性剤を含まない場合の、コンディショナーＡおよびＢで処理した髪の浸漬時の摩擦測定
【表３】
2020515837.tif 000005
【０１０４】
表３のデータは、図２および３にグラフで示されている。
【０１０５】
図２は、摩擦プローブの表面に界面活性剤が含まれていない場合の、コンディショナーＡおよびＢで処理した髪の浸漬フィクションプロファイルを示している。
【０１０６】
図３は、摩擦プローブが表面に界面活性剤を含む場合の、コンディショナーＡおよびＢで処理した髪の浸漬フィクションプロファイルを示している。
【０１０７】
図２に示すように、テストプローブが界面活性剤で前処理されていない場合、対応する官能評価とは異なり、コンディショナーＡとコンディショナーＢを区別できないことがわかる。しかしながら、界面活性剤を含むプローブが使用される場合、２つのコンディショナーの効果は区別され、実施例２の表２に示されるパネリスト評価と相関する。
【０１０８】
実施例５：様々なおもりを適合させたプローブによる摩擦測定
組成物Ａを使用して、実施例１に記載のように毛髪繊維を処理した。すべてのプローブは、使用前に界面活性剤を含んでいる。他のすべての実験の詳細は、プローブにそれぞれ０ｇ（おもりなし）、１３８ｇ、および１０００ｇのおもりが適合されていることを除いて、実施例４で説明したとおりである。
【０１０９】
３０回の測定後、１３８ｇのおもりに適合されるプローブに記録された平均摩擦は１３３．１８ｇｍｍで、表３で得られたデータと十分に一致している。おもり１０００ｇに適合されるプローブに記録された平均摩擦は、人為的に２１６．２２ｇｍｍに増加していることが見出される。さらに、この高い摩擦により、髪が絶えずクランプから滑り落ちてから水に浮いたため、測定を繰り返すのが困難になった。一方、プローブの重量は摩擦を大幅に減少させなかった。意味のあるデータを記録できなかった。
【図１】
2020515837.tif 000006
【図２】
2020515837.tif 000007
【図３】
2020515837.tif 000008
【国際調査報告】
2020515837.tif 000009
2020515837.tif 000010
2020515837.tif 000011
2020515837.tif 000012